(57)【要約】【課題】フラットベッドスキャナの機能を有する印刷装置において、コストアップを極力抑えた簡単な構成により印刷条件の用紙種類の自動設定を実現する。【解決手段】原稿カバー７の原稿台６とは反対側の面に設けられた用紙ポケット２に印刷用紙Ｐを収容した包装体Ｑが押し入れられると、包装体Ｑによって原稿カバー７に形成された読み取り窓を開き、フラットベッドスキャナを自動的に動作して包装体Ｑに印刷されている用紙種類情報を、読み取り窓を通して読み取り、読み取った用紙種類情報に基づき、認識処理手段により包装体Ｑに収容されている印刷用紙Ｐの用紙種類を認識し、認識した用紙種類を、印刷条件設定手段によって印刷条件の用紙種類に自動的に設定する。【選択図】図１
2009218989.tif 000002
【特許請求の範囲】
【請求項１】
フラットベッドスキャナの機能を有する印刷装置において、
透光性の原稿台を開閉自在に覆う原稿カバーと、
前記原稿カバーの前記原稿台とは反対側の面に設けられ、収容する印刷用紙の用紙種類情報が記された包装体が押し入れられる用紙ポケットと、
前記原稿カバーに設けられ、前記用紙種類情報を読み取る部分に形成された読み取り窓と、
前記読み取り窓を閉塞し、前記包装体が前記用紙ポケットに押し入れられることにより前記読み取り窓を開く読み取り窓開閉機構と、
前記読み取り窓の開放に連動して前記フラットベッドスキャナを作動し、前記読み取り窓を通して前記フラットベッドスキャナが読み取った前記用紙種類情報から前記印刷用紙の用紙種類を認識する認識処理手段と、
前記認識処理手段が認識した用紙種類を印刷条件に設定する印刷条件設定手段と、を備えた印刷装置。
【請求項２】
前記読み取り窓開閉機構は、
前記原稿カバーの前記原稿台とは反対側の面を前記用紙ポケットの挿入口に対して前後動自在に移動する窓カバーと、
前記読み取り窓を覆うように前記窓カバーを前方に付勢し、押し入れられた前記包装体により前記窓カバーを介して押圧され、前記窓カバーを後方に移動する付勢体と、を備えた請求項１に記載の印刷装置。
【請求項３】
前記用紙種類情報はバーコード印刷の情報である請求項１又は２に記載の印刷装置。
【発明の詳細な説明】
【技術分野】
【０００１】
本発明は、フラットベッドスキャナの機能を有する印刷装置に関し、詳しくは、その印刷用紙の用紙種類の設定に関する。
【背景技術】
【０００２】
従来、インクジェットプリンタには、フラットベッドスキャナの機能を有する複合機タイプのものがある（例えば、特許文献１参照）。
【０００３】
前記複合機タイプのインクジェットプリンタは、概略、本体にフラットベッドスキャナとしてのスキャンユニットと、インクジェット方式の印刷ユニットとを収容して形成される。
【０００４】
そして、前記スキャンユニットは、透光性の原稿台に原稿を載置して原稿カバーを閉じ、スキャナ動作を選択すると、前記原稿台の下方に設けられたイメージセンサが移動して原稿の情報を読み取る。また、前記印刷ユニットは、印刷の選択により、印刷用紙を排紙方向に送りつつプリントヘッドを印刷用紙の幅方向に移動し、設定された印刷条件にしたがって、周知のインクジェット方式で印刷を行う。
【０００５】
【特許文献１】特開２００７−５８３９５号公報（段落［００１０］−［００１２］、図２等）
【発明の開示】
【発明が解決しようとする課題】
【０００６】
前記印刷用紙には、写真用紙やマット紙等の種々の用紙種類のものがあり、フラットベッドスキャナの機能を有する従来のこの種の印刷装置においても、印刷用紙の用紙種類に応じて印刷条件（印刷パラメータ）の用紙種類を設定する必要がある。
【０００７】
そして、従来は、用紙種類が異なる印刷用紙に交換して印刷する際等には、その都度、印刷装置の表示部（液晶ディスプレイ）や、パソコン等の上位装置のモニタディスプレイに表示される印刷条件の設定画面を見ながら、ユーザーが印刷条件の用紙種類を手動で設定している。
【０００８】
そのため、ユーザーに負担をかける問題がある。とくに、印刷装置をパソコン等の上位装置に接続しないで単独使用する場合は、印刷装置での操作が上位装置のキーボードやマウスの操作程には容易でないため、ユーザーの負担が極めて大きい。
【０００９】
そして、フラットベッドスキャナの機能を有するこの種の印刷装置においても、コストアップを極力抑えてユーザーの負担を軽減することが重要な課題の１つである。
【００１０】
本発明は、上記課題に鑑みなされたものであり、フラットベッドスキャナの機能を有する印刷装置において、コストアップを極力抑えた簡単な構成により印刷条件の用紙種類の自動設定を実現し、ユーザーの負担を軽減することを目的とする。
【課題を解決するための手段】
【００１１】
上記目的を達成するために、本発明の印刷装置は、フラットベッドスキャナの機能を有する印刷装置において、透光性の原稿台を開閉自在に覆う原稿カバーと、前記原稿カバーの前記原稿台とは反対側の面に設けられ、収容する印刷用紙の用紙種類情報が記された包装体が押し入れられる用紙ポケットと、前記原稿カバーに設けられ、前記用紙種類情報を読み取る部分に形成された読み取り窓と、前記読み取り窓を閉塞し、前記包装体が前記用紙ポケットに押し入れられることにより前記読み取り窓を開く読み取り窓開閉機構と、前記前記読み取り窓の開放に連動して前記フラットベッドスキャナを作動し、前記読み取り窓を通して前記フラットベッドスキャナが読み取った前記用紙種類情報から前記印刷用紙の用紙種類を認識する認識処理手段と、前記認識処理手段が認識した用紙種類を印刷条件に設定する印刷条件設定手段と、を備える。
【００１２】
この場合、フラットベッドスキャナの原稿カバーの原稿台とは反対側の面に設けられた用紙ポケットに印刷用紙を収容した包装体を押し入れると、読み取り窓開閉機構により、原稿カバーに設けられた読み取り窓が開き、前記印刷ポケットに押し入れられた包装体の用紙種類情報の印刷部分が開いた読み取り窓上に位置する。
【００１３】
そして、フラットベッドスキャナが自動的に動作して前記包装体に記されている用紙種類情報が読み取り窓を通して読み取られ、読み取られた用紙種類情報に基づき、認識手段が包装体に収容されている印刷用紙の用紙種類を認識し、認識した用紙種類を、印刷条件設定手段が印刷条件の用紙種類に自動的に設定する。
【００１４】
したがって、印刷種類が異なる印刷用紙に交換して印刷する際等に、印刷用紙を収容した包装体を原稿カバーの原稿台とは反対側の面の用紙ポケットに押し入れる簡単な操作により、印刷条件の用紙種類を設定することができ、印刷条件の設定におけるユーザーの負担が軽減され、とくに、印刷装置をパソコン等の上位装置に繋がずに単独使用する場合のユーザーの負担の軽減効果は著しく大きい。
【００１５】
そして、印刷装置のフラットベッドスキャナの機能を利用して前記包装体に記された用紙種類情報を読み取る極めて簡単で安価な構成であり、コストアップを極力抑えた簡単な構成により、用紙種類が異なる印刷用紙に交換して印刷する際等の印刷条件の用紙種類の自動設定を実現し、ユーザーの負担を軽減することができる。
【００１６】
つぎに、本発明の印刷装置の前記読み取り窓開閉機構は、前記原稿カバーの前記原稿台とは反対側の面を前記用紙ポケットの挿入口に対して前後動自在に移動する窓カバーと、前記読み取り窓を覆うように前記窓カバーを前方に付勢し、押し入れられた前記包装体により前記窓カバーを介して押圧され、前記窓カバーを後方に移動する付勢体と、を備えることが、簡単かつ安価で好ましい。
【００１７】
この場合、常時は原稿カバーに形成された前記読み取り窓が窓カバーにより覆われ、フラットベッドスキャナによる前記原稿用紙の読み取りが正常に行われる。
【００１８】
そして、前記用紙ポケットに印刷用紙を収容した包装体を押し入れると、包装体により、窓カバーを介して付勢体が押され、窓カバーが後方に移動して読み取り窓が自動的に開き、包装体に記された用紙種類情報のフラットベッドスキャナによる読み取りが可能になる。
【００１９】
したがって、窓カバーと付勢体との極めて簡単で安価な構成により前記読み取り窓開閉機構を形成することができ、極めて簡単かつ安価で実用的な構成により印刷用紙の用紙種類の自動設定を実現し、ユーザーの負担を軽減することができる。
【００２０】
つぎに、本発明の印刷装置の前記用紙種類情報はバーコード印刷の情報であることが実用的である。
【発明を実施するための最良の形態】
【００２１】
本発明の一実施形態について、図１〜図６を参照して詳述する。図１は本実施形態の印刷装置１の全体の外観を示す斜視図である。図２は印刷装置１の概略の回路構成のブロック図、図３は図１の用紙ポケット２を示し、（ａ）は平面図、（ｂ）は正面図である。図４は用紙ポケット２の内部構造を示し、（ａ）は図１の印刷用紙Ｐを収容した包装体Ｑが押し入れられる前の切断平面図、（ｂ）は包装体Ｑが押し入れられた状態の切断平面図である。図５は包装体Ｑを用紙ポケット２に押し入れる過程を示し、（ａ）は包装体Ｑが押し入れられる前の状態を示し、（ｂ）は包装体Ｑが押し入れられている途中の状態を示し、（ｃ）は包装体Ｑが完全に押し入れられた状態を示す。図６は動作説明のフローチャートである。
【００２２】
（構成）
まず、印刷装置１の構成について、図１〜図５を参照して説明する。
【００２３】
図１に示すように、印刷装置１はフラットベッドスキャナの機能を有する複合機タイプのインクジェットプリンタであり、その本体３は上部ケース３１と下部ケース３２とで構成される。
【００２４】
上部ケース３１は、前部が操作・表示のパネル部４を形成し、その後方が主に図２に示すフラットベッドスキャナのスキャンユニット５の収容部を形成する。
【００２５】
そして、パネル部４は図１に示すように、略中央に例えば液晶ディスプレイ構成の画面表示用の表示部４１が起倒自在に設けられ、その左右にボタン操作部４２、４３が設けられている。
【００２６】
また、前記収容部は上面が透光性（ガラス製）の水平な原稿台６で形成され、原稿台６は開閉自在の原稿カバー７により覆われている。そして、原稿読み取り時には、原稿台６の上面に読み取り対象の原稿が読み取り面を下にして載置される。
【００２７】
ところで、前記スキャンユニット５は例えば図２に示すように構成され、照明部５２、イメージセンサ５３、ＡＦＥ（Ａｎａｌｏｇ  Ｆｒｏｎｔ  Ｅｎｄ）部５４、センサ駆動部５５、センサキャリッジ駆動部５６などを備える。
【００２８】
照明部５２は、主走査方向（左右方向）に長い蛍光管ランプ等で構成される。センサ駆動部５５によって駆動されるイメージセンサ５３は、ＲＧＢの３チャネルの光電素子群を有するカラーＣＣＤリニアイメージセンサ等のリニアイメージセンサであり、原稿台６に平行な状態で前記主走査方向に移動する図示しないセンサキャリッジに搭載されている。
【００２９】
前記センサキャリッジを駆動するセンサキャリッジ駆動部５６は図示しないモータ、駆動ベルト、駆動回路等で構成され、前記主走査方向に直交する方向（前後方向）に架設された図示しないガイドロッドに沿って前記直交する方向に往復移動する。
【００３０】
そして、イメージセンサ５３は、主走査方向及びそれに直交する方向に二次元移動して原稿台６の下面全体を走査（スキャン）し、図示しないレンズやミラー等の光学を介して原稿台６上の原稿等を読み取り、その画像情報を出力する。また、ＡＦＥ部５４は、イメージセンサ５３の出力に増幅、ノイズ除去等のアナログ信号処理を施し、Ａ／Ｄ変換して出力する。
【００３１】
一方、前記下部ケース３２は、主に図２に示す印刷ユニット８を収容する。この印刷ユニット８は例えば図２に示すように構成され、概略、インクジェット方式で印刷用紙Ｐに画像等を印刷する印刷ヘッド８２、ヘッドキャリッジ駆動部８３、紙送部８４、これらを制御する印刷ユニット制御部８５などを備える。
【００３２】
そして、印刷ヘッド８２は、一体型または各色別の個別のインクカートリッジが搭載される図示しないヘッドキャリッジに設けられる。このヘッドキャリッジを駆動するヘッドキャリッジ駆動部８３は、図示しないモータ、駆動ベルト、モータ駆動回路等で構成され、用紙搬送方向と直交する方向に印刷ヘッド８２を往復移動する。
【００３３】
紙送部８４は、図示しない用紙搬送ローラ、モータ、モータ駆動回路等で構成され、印刷用紙Ｐの印刷ヘッド８２への給紙及び印刷ヘッド８２からの排紙の用紙搬送を行う。印刷ユニット制御部８５は、印刷ヘッド８２の印刷タイミングをヘッドキャリッジの位置に応じて制御するとともに、ヘッドキャリッジ駆動部８３及び紙送部８４を制御する。
【００３４】
なお、前記紙送部８４により、図１に示す本体３の背面上部のオートシートフィーダ９からの印刷用紙Ｐの背面給紙と、同図に示す本体３の前面下部の用紙ホルダ１０からの印刷用紙Ｐの前面給紙とが、ユーザーの選択等にしたがって択一的に行われる。また、印刷ヘッド８２により印刷された印刷用紙Ｐは下部ケース３ｂの前面の排紙トレイ１１に排出される。
【００３５】
さらに、図２において、１２は装置全体を制御する制御部であり、例えばＲＡＭ１２ａ、フラッシュメモリ１２ｂ及びＣＰＵ１２ｃにより形成される。ＲＡＭ１２ａは、スキャンユニット５が読み取った前記画像情報などを一時的に保持する。ＣＰＵ１２ｃはフラッシュメモリ１２ｂに格納されている制御プログラムを実行して印刷装置１の各部を制御する。
【００３６】
１３はディジタル画像処理部であり、前記ＡＦＥ部５４の出力にガンマ補正、シェーディング補正、ＪＰＥＧ形式のエンコード等の画像処理を施して表示や印刷のディジタル画像を生成する処理や、ディジタル画像のデコード、解像度変換、アンシャープ処理、階調補正、二値化、分版処理等の画像処理をＣＰＵ１２ｃと協働して実行する。
【００３７】
つぎに、印刷装置１は、上記のような従来装置と同様の構成に加えて、本発明に対応するつぎのような構成を更に備える。
【００３８】
すなわち、印刷装置１は図１に示すように原稿カバー７の上面（原稿台６とは反対側の面）に用紙ポケット２が設けられる。この用紙ポケット２は図３に示すように、一体に形成された上面板２２と、左、右の側面板２３、２４と、背面板２５とを備える。なお、各板２２〜２５は外光を遮光するため、例えば原稿カバー７と同色の合成樹脂により形成される。また、用紙ポケット２の底面は原稿カバー７の上面によって形成される。
【００３９】
そして、収容する印刷用紙Ｐの用紙種類情報が印刷されて記された包装体Ｑが、後述する用紙種類情報の印刷面を下向きにして前面の挿入口２１から用紙ポケット２に押し入れられる。
【００４０】
前記包装体Ｑは、印刷用紙Ｐの市販の外装体であり、フイルム、紙等で形成された袋体或いは扁平な箱体である。そして、包装体Ｑの裏面又は表面が用紙種類情報の印刷面であり、この印刷面の略決まった位置に印刷用紙Ｐの用紙種類情報が印刷される。この用紙種類情報は、どのような表示形式の情報であってもよいが、実用的には製品管理等に用いられるバーコード印刷の情報又は数字や文字の番号の情報であり、本実施形態においては、例えば図４（ｂ）に示すようなバーコード印刷Ｒの情報である。
【００４１】
そして、印刷用紙Ｐの用紙種類の設定は、包装体Ｑから印刷用紙Ｐを取り出して印刷装置１にセットする前に必要になることが多い。そのため、包装体Ｑは、未開封の状態、換言すれば、規定枚数の印刷用紙Ｐを収容した状態で用紙ポケット２に押し入れられることが多い。
【００４２】
また、印刷装置１で使用可能な全サイズの印刷用紙Ｐについて用紙種類を判別してもよいが、用紙種類の設定（変更）が必要になるのは、一般家庭等での使用の場合、いわゆる「Ｌ判（８９ｍｍ×１２７ｍｍ）」、「２Ｌ判（１２７ｍｍ×１７８ｍｍ）」「ハガキ（１００ｍｍ×１４８ｍｍ）」等の比較的小さいサイズの専用紙の場合である。そこで、本実施形態においては、例えば前記「２Ｌ判」までの専用紙について印刷用紙Ｐの用紙種類の判別を行うものとする。
【００４３】
さらに、バーコード印刷Ｒの情報を確実に読み取るため、包装体Ｑは、用紙ポケット２の左の側板２３又は右の側板２４の内面に当接した状態で用紙ポケット２に押し入れられる。このようにすることによって、印刷用紙Ｒのサイズによらず、用紙ポケット２に押し入れられたときのバーコード印刷Ｒの位置が印刷用紙Ｒのサイズによらず、略同じ位置になる。
【００４４】
なお、用紙ポケット２に押し入れる包装体Ｑの向き（縦向き、横向き）は、本発明においてはどのようであってもよいが、用紙ポケット２の大きさや後述の読み取り窓７１の大きさ、位置等と、印刷用紙Ｐのサイズ、バーコード印刷Ｒの位置との関係にしたがって決まる。そして、例えば原稿カバー７の上面の挿入口２１の手前に包装体Ｑを押し入れる向きのシールを貼る等してユーザーに押し入れる向きを案内することが好ましい。
【００４５】
つぎに、用紙ポケット２内において、図４、図５に示すように、原稿カバー７の用紙種類情報であるバーコード印刷Ｒを読み取る部分を切り欠いて読み取り窓７１が原稿カバー７に設けられる。この読み取り窓７１は、各サイズの印刷用紙Ｒの包装体Ｑが用紙ポケット２に押し入れられても、包装体Ｑのバーコード印刷Ｒが読み取り窓７１内に位置して重合するように大きさや位置が定められる（図４（ｂ））。
【００４６】
また、用紙ポケット２内に、原稿カバー７の上面を用紙ポケット２の挿入口２１に対して前後動自在に移動する窓カバー１４が設けられる。この窓カバー１４は、前記読み取り窓７１を覆う遮光用のカバーであり、本実施形態の場合、図３〜図５に示すように、用紙ポケット２の左右方向（横幅方向）に適当な長さの底板１４ａと、前板１４ｂと、後板１４ｃとにより、読み取り窓７１を覆う底面が平坦な断面Ｕ字状もしくはコ字状に形成されている。なお、窓カバー１４は、常時は、原稿カバー７の一部をなすため、底板１４ａの裏面は原稿カバー１４の裏面と同様に白色である。
【００４７】
さらに、用紙ポケット２の背面板２５の内面の略中央に、本発明の付勢体を形成する支持ユニット１５が取り付けられている。この支持ユニット１５は、ケースにスプリングを収容し、そのスプリングによって支持棒１５ａを前方（挿入口２１の方向）に付勢する構造であり、支持棒１５ａの先端は窓カバー１４の後板１４ｃに取り付けられている。
【００４８】
そして、用紙ポケット２に包装体Ｑが押し入れられないときは、支持ユニット１５により窓カバー１４が前方に付勢されて窓カバー１４が読み取り窓７１を覆って閉塞する（図４（ａ）、図５（ａ））。
【００４９】
一方、用紙ポケット２に包装体Ｑが押し入れられると、包装体Ｑが窓カバー１４の前板１４ｂを押し、その押圧によって窓カバー１４が後方に移動し、支持ユニット１５は前記スプリングが蓄勢される（図５の（ｂ）、（ｃ））。
【００５０】
さらに、包装体Ｑの押し入れが完了すると（図５（ｃ））、支持ユニット１５は内蔵するラッチ機構によって前記スプリングの蓄勢状態に保持される。このとき、読み取り窓７１は開かれ、包装体Ｑのバーコード印刷Ｒが読み取り窓１７、原稿台６を通してその下のイメージセンサ５３によって読み取り可能になる。なお、前記ラッチ機構は、読み取りの終了後、包装体Ｑを更に押し入れることによって解除され、このとき、前記スプリングの付勢力によって窓カバー１４が読み取り窓７１を覆う状態に戻る。なお、窓カバー１４及び支持ユニット１５により、本発明の読み取り窓開閉機構が形成されている。
【００５１】
つぎに、支持ユニット１５に例えば図２に示す読み取り指令スイッチ１６が内装され、その操作用のプッシュロッド１６ａが図４に示すように前方に突出している。そして、用紙ポケット２に包装体Ｑが押し入れられて窓カバー１４が後方に移動すると、その後板１４ｃによってプッシュロッド１６ａが押されて読み取り指令スイッチ１６がオンする。
【００５２】
そして、図２に示すように、本体２内に、本発明の認識処理手段を形成する用紙種類認識処理部１７及び本発明の印刷条件設定段を形成する印刷条件設定部１８が設けられる。
【００５３】
用紙種類認識処理部１７は、指令スイッチ１６のオンにより動作してスキャンユニット５に読み取りを指令し、読み取り窓７１の開放に連動してフラットベッドスキャナを作動する。そして、読み取り窓７１を通してフラットベッドスキャナのイメージセンサ５３が読み取った包装体Ｑのバーコード印刷Ｒから印刷用紙Ｐの用紙種類を認識する。
【００５４】
印刷条件設定部１８は、用紙種類認識処理部１７が認識した用紙種類を印刷条件に設定し、その設定を印刷ユニット制御部８５に送るものであるが、本実施形態の場合、機能の一層の向上を図るため、設定前に、認識した用紙種類を表示部４１に表示してユーザーに確認を求め、ユーザーの許可を条件に、用紙種類認識処理部１７が認識した用紙種類を印刷条件に設定し、その設定を印刷ユニット制御部８５に送る。
【００５５】
（動作）
つぎに、以上の構成に基づく、印刷装置１の印刷条件の用紙種類の自動設定の処理について、図６を参照して説明する。
【００５６】
印刷装置１の電源をオンした後、ユーザーが所望の印刷用紙Ｐの印刷を行うため、その包装体Ｑを用紙ポケット２に押し入れると（図６のステップＳ１）、読み取り窓７１が開き、読み取り指令スイッチ１６がオンし、用紙種類認識処理部１７により、スキャンユニット５に読み取りが指令される（図６のステップＳ２）。
【００５７】
そして、フラットベーススキャナが作動し、読み取り窓７１を通してフラットベッドスキャナのイメージセンサ５３により読包装体Ｑのバーコード印刷Ｒが読み取られる（図６のステップＳ３、Ｓ４）。
【００５８】
さらに、読み取られたバーコード印刷Ｒの情報に基づき、用紙種類認識処理部１７は、包装体Ｑに収容されている印刷用紙Ｐの用紙種類を判別して認識し（図６のステップＳ５）、認識した用紙種類の設定の可否を求める設定確認画面を表示する（図６のステップＳ６）。
【００５９】
そして、ユーザーがボタン操作で設定可を選択すると、用紙種類認識処理部１７の認識結果の用紙種類が印刷条件設定部１８に印刷条件の用紙種類として設定され、その設定を印刷ユニット制御部８５に送られて処理が終了する（図６のステップＳ７、Ｓ８）。なお、ユーザーが設定を拒否すると、印刷条件設定部１８の印刷条件の用紙種類は、前の設定状態に維持される。
【００６０】
なお、用紙ポケット２に押し入れる包装体Ｑは、開封後のものであっても、また、包装体Ｑに収容される印刷用紙Ｐの枚数が少なくても（とくに箱体の場合は印刷用紙Ｐか全く収容されていなくても）よく、窓カバー１４を押圧して読み取り窓７１を開くことができる限り、前記と同様にして用紙種類の設定が行える。
【００６１】
したがって、前記実施形態の印刷装置１の場合、印刷用紙Ｐを収容した包装体Ｑを用紙ポケット２に押し入れる簡単な操作により、印刷条件の用紙種類を自動的に設定することができ、ユーザーの負担が著しく軽減される。
【００６２】
そして、用紙ポケット２を設け、原稿カバー７に読み取り窓７１を形成し、支持ユニット１５に付勢される窓カバー１４により読み取り窓７１を開閉自在に覆う、極めて簡単で部品数が少なく、安価な構造であるため、コストアップを極力抑えた簡単な構成により印刷条件の用紙種類の自動設定を実現することができる。
【００６３】
しかも、常時は読み取り窓７１が窓カバー１４で覆われるので、原稿の読み取りに影響することもない。
【００６４】
本発明は上記した実施形態に限定されるものではなく、その趣旨を逸脱しない限りにおいて上述したもの以外に種々の変更を行うことが可能である。
【００６５】
例えば、包装体Ｑの用紙種類情報は、バーコード印刷Ｒの情報や数字や文字の番号の情報以外であってもよいのは勿論であり、その印刷の大きさや位置等がどのようであってもよいのも勿論である。それらに合わせて読み取り窓７１等の大きさや位置を設定すればよいからである。また、包装体Ｑの用紙種類の情報にその用紙種類の制御データも含ませると、印刷装置１に制御データがない用紙種類について、印刷種類だけでなく対応する制御データも設定することができる。さらに、前記用紙種類情報は、印刷以外のどのような手段によって包装体Ｑに記されていてもよく、例えばシールを貼って包装体Ｑに記されていてもよい。
【００６６】
つぎに、窓カバー１４や付勢手段（支持ユニット１５）の構造や形状はどのようであってもよく、例えば付勢手段は、窓カバー１４の後板１４ｃの左右端部を支持するスプリングであってもよい。また、本発明の読み取り窓開閉機構は、窓カバー１４や付勢手段（支持ユニット１５）以外の構成であってもよい。
【００６７】
つぎに、例えば用紙ポケット２の右の側板２４を、その上側を回動軸とする可動板によって形成すれば、用紙ポケット２の挿入口２１より幅広の印刷用紙Ｐについても、手又はその包装体Ｑにより側板２４を回し開いて包装体Ｑの用紙種類情報の印刷部分を用紙ポケット２に押し入れ、用紙種類の認識して自動的に設定することができ、本発明の効果を奏することができる。なお、用紙ポケット２をスライド式又はじゃばら式で左右方向に広がる構成に形成し、印刷用紙Ｐのサイズに応じて調整できる構造としてもよい。
【００６８】
つぎに、用紙種類認識処理部１７及び印刷条件設定部１８の処理等はどのようであってもてもよい。
【００６９】
そして、本発明は、フラットベッドスキャナの機能を有する種々の複合機タイプの印刷装置に適用することができる。
【図面の簡単な説明】
【００７０】
【図１】本発明の一実施形態の印刷装置の斜視図。
【図２】図１の印刷装置の回路ブロック図。
【図３】図１の用紙ポケットの形状説明図。
【図４】図１の用紙ポケット内の構造説明図。
【図５】図１の用紙ポケット内の機構動作の説明図。
【図６】図１の印刷装置の動作説明のフローチャート。
【符号の説明】
【００７１】
２…用紙ポケット、２１…挿入口、６…原稿台、７…原稿カバー、７１…読み取り窓、１４…窓カバー、１７…用紙種類認識処理部、１８…印刷条件設定部、Ｐ…印刷用紙、Ｑ…包装体
【図２】
2009218989.tif 000003
【図３】
2009218989.tif 000004
【図４】
2009218989.tif 000005
【図５】
2009218989.tif 000006
【図６】
2009218989.tif 000007
【図１】
2009218989.tif 000008